(57)【特許請求の範囲】
【請求項１】
軒先の鼻隠板後方に配設される小屋裏換気用部材であって、横長の換気材とこの背面に固定された回り縁の組合わせから構成され、該換気材は前板と後板との間に複数の仕切板を介して縦通気孔が長手方向に所定間隔置きに複数形成され、回り縁は、横長の側壁とその後下部で後方へ突出する受縁とで断面略Ｌ字形に形成され、換気材の背面と回り縁の前面を当接一体に形成されていることを特徴とする軒換気部材。
【請求項２】
前記換気材は、前後板の少なくともいずれかに外から内方へ水平な切込が形成され、該切込に風防板が嵌装されていることを特徴とする請求項１に記載された軒換気部材。
【請求項３】
前記換気材は、前後板の少なくともいずれかに外から内方へ水平な切込が形成され、該切込に防虫網が嵌装されていることを特徴とする請求項１に記載された軒換気部材。
【請求項４】
前記回り縁は、背面にスペーサが、受縁の上面との間に軒天井板の嵌装される間隔の天板嵌部を形成して接着されていることを特徴とする請求項１ないし３のいずれかに記載された軒換気部材。
【請求項５】
前記回り縁は、背面にリブが突設され、下部のリブと受縁との間には、軒天井板の嵌装される間隔の天板嵌部が形成されていることを特徴とする請求項１ないし３のいずれかに記載された軒換気部材。
【請求項６】
軒先の垂木先端部に鼻隠板を固定し、鼻隠板の後方に野縁枠組を介して軒天井板を張設した軒先小屋裏へ吸気する構成であって、軒換気部材が鼻隠板と野縁の間に配設され、
該軒換気部材は、横長の換気材とこの背面に固定された回り縁から構成され、前記換気材は前板と後板との間に複数の仕切板を介して複数の通気孔が長手方向に所定間隔置きに形成され、回り縁は、横長の側壁とその後下部で後方へ突出する受縁とで断面略Ｌ字形に形成され、換気材の背面と回り縁の前面を当接一体に形成され、
該軒換気部材の換気材前面を鼻隠板に当接させ、回り縁背面と野縁前面とを当接させた状態で固定され、回り縁の受縁で先端部を支持された軒天井板を野縁枠組下面に固定して軒小屋裏が形成され、該軒小屋裏へ前記換気材の通気孔から 通気するように構成されたことを特徴とする軒換気構造。
【請求項７】
軒先の垂木先端部に鼻隠板を固定し、鼻隠板の後方に野縁枠組を介して軒天井板を張設した軒先小屋裏へ吸気する構成であって、軒換気部材が、野縁枠組の奥野縁前面に配設され、
該軒換気部材は、横長の換気材とこの背面に固定された回り縁から構成され、前記換気材は前板と後板との間に複数の仕切板を介して複数の通気孔が長手方向に所定間隔置きに形成され、回り縁は、横長の側壁とその後下部で後方へ突出する受縁とで断面略Ｌ字形に形成され、換気材の背面と回り縁の前面を当接一体に形成され、
該軒換気部材の換気材前面を奥野縁前面に当接させ、回り縁の側壁背面から奥野縁前面へ釘打ち固定され、回り縁の受縁で後端部を支持された軒天井板を野縁枠組下面に固定して軒小屋裏が形成され、該軒小屋裏へ前記換気材の通気孔から通気するように構成されたことを特徴とする軒換気構造。
【発明の詳細な説明】
【０００１】
【発明の属する技術分野】
この発明は、軒換気構造並びに軒換気部材に係り、特に建物における軒小屋裏から吸気をするための軒換気構造並びに軒換気部材に関する。
【０００２】
【従来の技術】
従来、住宅用建物の小屋裏の換気は軒裏或いは小屋裏の壁に形成した換気孔等からおこなっているが、棟頂部に熱気が停留する難点がある。また、屋根構造が寄棟の場合は小屋裏の壁面に換気孔を形成することができず、軒天井の換気孔だけでは棟頂部の換気に難点がある。
【０００３】
【発明が解決しようとする課題】
平成１０年１０月から、公庫融資制度の適用住宅の技術基準が改正されて、軒裏に吸気孔を設け、かつ排気孔を設ける場合は、吸気孔の有効面積の天井の面積に対する割合は、９００分の１以上とし、排気はできるだけ小屋裏の頂部に設け、排気孔の有効面積の天井の面積に対する割合は、１，６００分の１以上とすること、という規定が制定されたが、建築費を押さえるために寄棟が増加している。
従ってこれら法規制並びに時代の趨勢に対処して、安価で施工性に優れ、前記技術基準に適合する換気屋根構造が求められている。
この発明者はそれらの実情に鑑みて、棟近辺で換気することのできる棟瓦桟を開発（特願平１１ー００１６７８号）したが、軒先に吸気口を形成することにより、いっそう効果が増大することを確認し、軒先からの吸気に適した軒換気構造並びに軒換気部材を提供することを目的として開発されたものである。
【０００４】
【課題を解決するための手段】
この発明は前記課題を解決し、目的を達成するために次のような技術的な手段を講じた。
【０００５】
すなわち、主たる構成として、軒先の鼻隠板後方に配設される小屋裏換気用部材であって、横長の換気材とこの背面に固定された回り縁の組合わせから構成され、該換気材は前板と後板との間に複数の仕切板を介して縦通気孔が長手方向に所定間隔置きに複数形成され、回り縁は、横長の側壁とその後下部で後方へ突出する受縁とで断面略Ｌ字形に形成され、換気材の背面と回り縁の前面を当接一体に形成されている軒換気部材、として構成されている。
【０００６】
また具体的な細部構成として、前記換気材は、前後板の少なくともいずれかに外から内方へ水平な切込が形成され、該切込に風防板、防虫網を嵌装することができる。
【０００７】
前記回り縁は、背面にスペーサが、受縁の上面との間に軒天井板の嵌装される間隔の天板嵌部を形成して接着されたものとすることができる。
【０００８】
前記回り縁は、背面にリブが突設され、下部のリブと受縁との間には、軒天井板の嵌装される間隔の天板嵌部が形成されたものとすることができる。
【０００９】
軒の構造として、軒先の垂木先端部に鼻隠板を固定し、鼻隠板の後方に野縁枠組を介して軒天井板を張設した軒先小屋裏へ吸気する構成であって、軒換気部材が鼻隠板と野縁の間に配設され、
該軒換気部材は、横長の換気材とこの背面に固定された回り縁から構成され、前記換気材は前板と後板との間に複数の仕切板を介して複数の通気孔が長手方向に所定間隔置きに形成され、回り縁は、横長の側壁とその後下部で後方へ突出する受縁とで断面略Ｌ字形に形成され、換気材の背面と回り縁の前面を当接一体に形成され、
該換気部材の換気材前面を鼻隠板に当接させ、回り縁背面と野縁前面とを当接させた状態で固定され、回り縁の受縁で先端部を支持された軒天井板を野縁枠組下面に固定して軒小屋裏が形成され、該軒小屋裏へ前記換気材の通気孔から 通気するように構成された軒換気構造、として構成されている。
【００１０】
また、軒先の垂木先端部に鼻隠板を固定し、鼻隠板の後方に野縁枠組を介して軒天井板を張設した軒先小屋裏へ吸気する構成であって、換気部材が、野縁枠組の奥野縁前面に配設され、
該換気部材は、横長の換気材とこの背面に固定された回り縁から構成され、前記換気材は前板と後板との間に複数の仕切板を介して複数の通気孔が長手方向に所定間隔置きに形成され、回り縁は、横長の側壁とその後下部で後方へ突出する受縁とで断面略Ｌ字形に形成され、換気材の背面と回し縁の前面を当接一体に形成され、
該換気部材の換気材前面を奥野縁前面に当接させ、回り縁の側壁背面から奥野縁前面へ釘打ち固定され、回り縁の受縁で後端部を支持された軒天井板を野縁枠組下面に固定して軒小屋裏が形成され、該軒小屋裏へ前記換気材の通気孔から 通気するように構成された軒換気構造、として構成されている。
【００１１】
【作用】
上記のように構成されたこの発明は次のような作用を有している。
【００１２】
従来、鼻隠板の背面に刻設された天板嵌溝に軒天井板の先端部を嵌める構成が取られているが、軒換気部材は、背部に回り縁が形成されているので、野縁前面に固定されたとき、回り縁の受縁に軒天井板を嵌装させることができる。
【００１３】
軒換気部材は野縁と鼻隠板との間に挟んで釘打ちするだけで、容易に固定させることができる。
【００１４】
軒換気部材は、野縁枠組の奥野縁の前面に釘打ちすることができるので、鼻隠板との当接などをしなくても容易に固定させることができる。
【００１５】
軒換気部材は、野縁枠組の前部か後部に固定させることができるので、の縁枠組に特別な部材や用材を戸取り付けなくても固定させることができる。
【００１６】
軒換気構造は寄棟の周囲全域に軒換気部材を取付けることができ、換気材の通気孔から十分な吸気をして棟頂へ送気させることができる。
【００１７】
換気材の通気孔は下向きになっているので、風が強くても雨水が小屋裏に入る虞れがない。
【００１８】
【発明の実施の形態】
この発明の実施の形態例を図面を参照して説明する。図１は軒換気部材の斜視図、図２は換気材の斜視図、図３は軒換気部材用の回り縁の斜視図である。
【００１９】
軒換気部材１は、換気材２と回り縁７との組み合わせから構成されている。換気材２は、横長な前板３と後板４とを平行に立てて対向間を複数の仕切板５…で結合した態様で、前板３と後板４との間の間隔は例えば１０ミリに設定されている。前記仕切板５…は換気材２の長手方向に例えば１０ミリ間隔に設定されて各仕切板５…の間に通気孔６…が形成されている。該通気孔６…の大きさは任意に設定することができる。
【００２０】
該換気材２は押出成形によって通気孔６…の貫通方向に押出成形されたもので、通気孔６…の貫通方向に長く形成されたものを、例えば長さ４センチなど任意の長さに切断されたものである。該換気材２の長手方向の長さは押出成形機の金型の大きさに制約されるので、短かいものは複数を連結させて使用される。
【００２１】
前記回り縁７は、側壁８と後下部に設けられた受縁９とで断面略Ｌ字形に、押出成形により形成されている。該側壁８の高さは前記換気材２の高さに合わせて設定される。受縁９は、軒天井板１４を受止めるためのもので、幅は例えば１０ミリ前後に設定される。
【００２２】
前記換気材２を通気孔６…を上下に向けた状態で、その背面に回り縁７の前面が接着されている。接着の方法は、接着剤、或いは両面粘着テープなど任意の手段を使用することができる。
【００２３】
前記回り縁７の側壁８背面に、スペーサ１０が、受縁９との間に軒天井板１４を嵌装する間隔を開けて接着されて天板嵌部１１が形成されている。このスペーサ１０は換気材２の長さが短かくて複数を連結する場合、前記回り縁７だけでは強度が弱いときの補強であるから、側壁８の肉厚が厚い時は省くことができる。この接着の方法も、接着剤、或いは両面粘着テープなど任意の手段を使用することができる。
【００２４】
図２は換気材２に風防を設けた形態を示す斜視図である。この形態例は、換気材２の前後壁３，４の高さの任意位置に水平で長手に沿う切込２Ａがほぼ中央に至るまで形成され、該切込２Ａに風防板１２…が嵌装されている。すなわち、海岸に近い場所などでは冬期に強風が雨を巻き上げることがあり、換気材２の通気孔６…から雨が小屋裏１７へ侵入する虞れがあるが、この風防板１２…があれば巻きあげられる雨水も小屋裏１７への侵入が規制される。また、害虫の侵入も防ぐことができる。この風防板１２の一部を防虫網に替えて嵌装することができ、また風防板１２に小孔を無数形成して防虫網を兼ねるようにすることができる。
【００２５】
図３は前記回り縁７の第２形態を示す側面図である。この形態は、側壁８の背面に複数のリブ７Ａ…が形成されて側壁８の強度を高めている。これによって、図１におけるスペーサ１０を省略することができる。図中の符号７Ｂは換気材２の上面に引掛ることによって位置決めが容易になる位置決突体である。なお前記各リブ７Ａ，７Ａの間には発泡樹脂を押出成形による一体成形で詰装させて強度を高めることができる。
【００２６】
図４は軒先換気構造の側面図である。符号２０は野縁（屋根裏に使用される細い用材、縦野縁）、１４は軒天井板、１５は鼻隠板、１６は垂木、１７は軒小屋裏、１８は釘、である。前記換気部材１は、スペーサ１０の背面を、野縁枠組の前部に位置している野縁１３の先端面に当て、換気材２の前面に鼻隠板１５を当てて釘１８打ちで固定する。この場合、スペーサ１０の背面に両面テープを貼着しておいて野縁２０前面に接着させるようにすることができる。
【００２７】
縦野縁２０と後部の奥野縁１９で枠組され野縁枠組が形成される（図５参照）が、図４では示していない奥野縁は公知のように柱２１（図５参照）に釘打ち固定する。鼻隠板１５の上部は、図示するように垂木１６の先端面に釘１８打ち固定する。しかる後に受板９の上の天板嵌部１１に軒天井板１４の先端部を嵌めて軒天井板１４を固定する。
【００２８】
これによって軒換気構造が形成される。軒換気部材は、寄棟なら軒周囲全域に配設することができる。すなわち、換気材２の通気孔６…の下から入る空気は軒小屋裏１７に入り、垂木１６の間を通って棟の方の小屋裏に至って棟頂などの排気口から排気される。このように軒先周囲から棟頂へ空気が抜けるので、良好な換気作用をさせることができる。
【００２９】
図５は軒換気構造の第２形態を示す側面図である。前記例と同じ部材には同じ符号を付して説明を省略する。図５において符号１９は奥野縁、２０は縦野縁（橋板）、２１は柱、２２は軒桁、２３は壁板である。この形態は、図示するように、奥野縁１９の前面に軒換気部材１の前面が当接されて固定されているもので、前後の軒換気部材１，１から軒小屋裏１７へ通気される。この場合、前部の軒換気部材１を廃することもできる。
【００３０】
図においては、軒天井板１４が水平に張設されているが、野縁枠組を垂木１６に固定して垂木１６の傾斜なりに構成することができる。その場合、換気材２の通気孔６から入った外気は屋根板（野地板）の下で垂木１６の間を通って軒桁２２の内側の小屋裏へ入って換気を促進させる。
【００３１】
なおこの発明は、前記形態例に限定されるものではなく、目的に沿って任意に設計変更をすることができる。換気材２の通風孔６は内部に細い十字仕切を田字形に入れて防虫に対応させることができる。
【００３２】
【発明の効果】
以上のように構成されたこの発明は、次のような優れた効果を有している。
【００３３】
軒換気部材は、軒天井板を張設してある軒小屋裏の軒周囲全域に配設することができるので、小屋裏へ十分な吸気をさせることができる効果がある。
【００３４】
軒換気部材は、野縁と鼻隠板との間に挟んで釘止めすることができるので、他の部材、用材を使用したり、細工をするなどの手間をかけることなく誰にでも容易に配設することができる効果がある。
【００３５】
軒換気部材は、野縁枠組の奥野縁の前面に固定することができるので、軒先が狭いときや屋根勾配が低い場合等は壁際に配設することができる効果、並びに軒先の長さが長い時は前後に配設することができる効果がある。
【００３６】
軒換気部材は通気孔が小さく、下向きになっているので、強風が雨水を巻き上げても小屋裏に雨水が入りにくい効果がある。
【００３７】
軒換気部材は、換気材に風防板を装着することができ、強風による雨水の巻き上げがあっても、確実に雨水の小屋裏への侵入を防止することができる効果がある。
【００３８】
軒換気部材は、換気材が押出成形で形成できるので、通気孔の大きさ、形状等を任意に設定することができる効果がある。
【００３９】
軒換気部材は、安価に供給することができ、取付け手間も釘打ちだけなので、コスト負担が軽いという効果がある。
【００４０】
軒換気構造は、軒換気部材を釘打ちにより固定しているので、頑丈に構成することができ、また軒換気部材が小さいものなので、外から目立たない効果がある。
【００４１】
軒換気構造は、換気材部分が鼻隠板の背部に隠れた状態なので、雨水が入りにくい効果がある。
【図面の簡単な説明】
【図１】  軒換気部材の斜視図である。
【図２】  換気材の斜視図である。
【図３】  軒換気部材の回り縁の側面図である。
【図４】  軒先換気構造の側面図である。
【図５】  軒先換気構造の第２形態を示す側面図である。
【符号の説明】
１          軒換気部材
２          換気材
２Ａ        切込
３          前壁
４          後壁
５          仕切板
６          通気孔
７          回り縁
７Ａ        リブ
７Ｂ        位置決突体
８          側壁
９          受縁
１０        スペーサ
１１        天板嵌部
１２        風防板
１３        野縁
１４        軒天井板
１５        鼻隠板
１６        垂木
１７        軒小屋裏
１８        釘
１９        奥野縁
２０        縦野縁（橋板）
２１        柱
２２        軒桁
２３        壁板
【図１】
0004290814.tif 000002
【図２】
0004290814.tif 000003
【図３】
0004290814.tif 000004
【図４】
0004290814.tif 000005
【図５】
0004290814.tif 000006